(57)【要約】【課題】ヒトそれぞれに合った最適椅子高さを正確に特定することができ、しかも、座面をその高さ位置に容易に合わせることができる椅子を提供する。【解決手段】座面昇降手段２と非足裏重量測定手段４とが備えられ、該測定手段４で、座った時の非足裏重量を測定することができるようになされている。更に、座面昇降手段２を駆動する駆動手段３が備えられると共に、制御手段５が備えられている。また、座ると体重が非足裏重量測定手段で自動測定され、その体重値に基づいて制御手段５の制御が行われるようになされている。【選択図】      図１
2005102940.tif 000002
【特許請求の範囲】
【請求項１】
座面昇降手段と、
座ったときの足裏から受ける重量を測定する足裏重量測定手段、及び／又は、椅子に座ったときの椅子が受ける重量を測定する非足裏重量測定手段とが備えられ、
前記測定手段によって、座った時の足裏重量及び／又は非足裏重量を測定することができるようになされていることを特徴とする椅子。
【請求項２】
座面昇降手段を駆動する駆動手段が備えられると共に、
体重と、足裏重量測定手段で測定されている足裏重量及び／又は非足裏重量測定手段で測定されている非足裏重量との比が、設定比か否かを判断し、設定比と異なるとき前記駆動手段に座面の昇降を行わせ、設定比となったとき座面の昇降を停止させて座面をその高さ位置に保持する制御を行う制御手段が備えられている請求項１に記載の椅子。
【請求項３】
座ると体重が前記足裏重量測定手段及び／又は非足裏重量測定手段で自動測定され、その体重値に基づいて制御手段の制御が行われるようになされている請求項２に記載の椅子。
【発明の詳細な説明】
【技術分野】
【０００１】
本発明は、だれが座ろうと、座った人にとって、長く座っても疲れない椅子に関する。
【背景技術】
【０００２】
座面昇降手段が備えられ、座面の高さ位置を種々変更して座面を座りやすい高さ位置にすることができるようになされた椅子は、世の中に広く提供されている。
【発明の開示】
【発明が解決しようとする課題】
【０００３】
しかしながら、それらの椅子は、ヒトが自分に合っていると漠然と感じる高さ位置に座面高さ位置を合わせることができるというだけのものにすぎず、椅子に座って腿と座面とのあいだに挟んだタオルをスッと抜けるかどうかを試しながら椅子の高さを調整するなどというような面倒なことは、日常的には、まず行われず、座面昇降手段が備えられているにもかかわらず、正確な椅子高さを特定できないままに椅子高さの中途半端な調節を行っているにすぎないというのが実際のところである。。
【０００４】
本発明は、上記のような背景において、ヒトそれぞれに合った最適椅子高さを正確に特定することができ、しかも、座面をその高さ位置に容易に合わせることができる椅子を提供することを課題とする。
【課題を解決するための手段】
【０００５】
上記の課題において、本発明者らは、種々調査と実験、研究を重ねた結果、人体各部の重量比は、ヒトそれぞれにあまり異ならないことを突き止め、体重に着目することで、そのヒトに最も合った最適椅子高さを非常に正確に特定することができることを見出し、それに基づいて、本発明を完成させた。
【０００６】
即ち、上記の課題は、座面昇降手段と、
座ったときの足裏から受ける重量を測定する足裏重量測定手段、及び／又は、椅子に座ったときの椅子が受ける重量を測定する非足裏重量測定手段とが備えられ、
前記測定手段によって、座った時の足裏重量及び／又は非足裏重量を測定することができるようになされていることを特徴とする椅子によって解決される。
【０００７】
この椅子では、座って座面を昇降させることで、足裏重量測定手段及び／又は非足裏重量測定手段によって足裏重量及び／又は非足裏重量を測定していき、体重と、足裏重量測定手段で測定されている足裏重量及び／又は非足裏重量測定手段で測定されている非足裏重量との比が、設定比と一致する座面高さで座面の昇降を停止し、座面をその高さ位置に保持すれば、その座面高さ位置が、そのヒトにとっての最適座面高さとなり、鮫の高さ位置を非常に正確に特定することができる。
【０００８】
この椅子において、体重と、椅子に座ったときの足裏から受ける重量との最適比は、そのヒトの体重と、そのヒトの腿と座面との間にタオルを挟んでそのタオルを第三者がスッと抜けるときの椅子高さにおいて足裏から受ける重量との比から求めることができ、発明者らがこの方法に基づいて多くの実験を重ねた結果、この比を、例えば１００対１６に設定すれば、あるいは、体重と、椅子に座ったときの椅子が受ける重量との比を１００対８４に設定すれば、身長に基づくよりも正確な最適椅子高さを特定できることを明らかにした。なお、本発明がこの設定比に限定解釈されるべきものでないことはいうまでもない。
【０００９】
このように、本発明の椅子は、人体各部の重量比がヒトそれぞれにあまり異ならないという事実解明に基づいて、体重に着目することでそのヒトに合った最適座面高さを特定するものであるから、最適座面高さ、即ち最適椅子高さを非常に正確にかつ信頼性高く特定することができる。
【００１０】
そして、本発明の椅子では、椅子に座ったまま座面を昇降させ、自らの体重と、足裏重量及び／又は非足裏重量との比が設定比と一致したか否かを確認していくだけでよく、しかも、一致を確認した時点で同時に、座面は最適高さ位置に設定されていて、座面の最適高さ位置の調節を座ったまま容易に行うことができる。
【００１１】
上記の椅子において、座面昇降手段を駆動する駆動手段が備えられると共に、
体重と、足裏重量測定手段で測定されている足裏重量及び／又は非足裏重量測定手段で測定されている非足裏重量との比が、設定比か否かを判断し、設定比と異なるとき前記駆動手段に座面の昇降を行わせ、設定比となったとき座面の昇降を停止させて座面をその高さ位置に保持する制御を行う制御手段が備えられているとよい。
【００１２】
この椅子によれば、座るだけで座面が自ら動いて最適高さに自動設定され、誰が座っても長時間疲れない椅子が形成される。
【００１３】
この場合に、座ると体重が前記足裏重量測定手段及び／又は非足裏重量測定手段で自動測定され、その体重値に基づいて制御手段の制御が行われるようになされている場合は、自分の体重の入力操作さえ行わなくて済み、誰が座っても、まさに座るだけで長時間疲れない椅子が形成される。しかも、上記の測定手段が体重の測定を兼ねて行うことであるから、簡素な構造でそれを実現することができる。
【発明の効果】
【００１４】
本発明は、以上のとおりのものであるから、ヒトそれぞれに合った最適椅子高さを正確に特定することができ、しかも、座面をその高さ位置に容易に合わせることができる。
【発明を実施するための最良の形態】
【００１５】
次に、本発明の実施最良形態を図面に基づいて説明する。
【００１６】
図１に示す実施形態の椅子１において、２は座面昇降手段、３は座面昇降手段２を駆動するための駆動手段としての駆動部であり、これらは電動や油圧などによって座面１ａを昇降させるものである。なお、１ｂは背もたれである。
【００１７】
４は非足裏重量測定手段としての測定器であり、この測定器４は、椅子１に備えられ、椅子１に座ったときの椅子１が受ける重量を測定するものである。
【００１８】
５は制御手段として制御部であり、この制御部５は、体重と、非足裏重量測定器で測定される非足裏重量との比が、設定比か否かを判断し、設定比と異なるとき駆動部３に座面１ａの昇降を行わせ、設定比となったとき座面１ａの昇降を停止させて座面１ａをその高さ位置に保持する制御を行うものであり、マイコンなどで構成される。また、制御部５には、体重と、椅子１に座ったときの椅子１が受ける重量との最適比、例えば１００対８４が予め記憶されている。
【００１９】
そして、本実施形態の椅子では、座るヒトの体重について、座ると体重が非足裏重量測定器４で自動測定され、その体重値に基づいて制御部５で、体重と非足裏重量との比が割り出されるようになされている。なお、体重については、手操作で入力できるようになされていてもよいが、座面高さ位置の正確な特定を実現する上では、上記のような体重測定が行われる方がよい。
【００２０】
上記の椅子１の動作を、制御の更に詳しい内容も含めて説明していくと、椅子１に座って、図示しない操作開始ボタンなどをオンにすると、図２（イ）に示すように、座面１ａが一旦、足の届かない高所位置まで上昇し、その状態で非足裏重量測定器４が体重を測定し、その信号が制御部５に送られ、制御部５に記憶される。次いで、図２（ロ）に示すように、座面１ａが下降していくが、そのとき、制御部５による制御によって、測定されて記憶された前記体重と、非足裏重量測定器４で測定されていく非足裏重量との比が、上記の設定比か否かが逐次判断され、設定比と異なるとき、上記のように座面１ａの下降が継続し、設定比となったときに、座面１ａの昇降が停止して、図２（ハ）に示すように、座面１ａはその高さ位置に保持される。こうして、椅子１が、座ったヒトにとって最適な座面高さを備えた椅子となる。なお、図２（ニ）に示すように、椅子１の座面１ａが上昇していく過程で、体重と非足裏重量との比が設定比と比較判断されるようにしてもよい。また、椅子に表示手段を備えさせ、体重と非足裏重量との比が設定比となったとき、音や光などヒトの五感に訴える表示がなされるようにしておくのもよい。
【００２１】
このように、上記の椅子１では、座るヒトの体重に着目することでそのヒトに合った最適座面高さを特定するものであるから、最適座面高さを非常に正確にかつ信頼性高く特定することができる。しかも、上記の椅子１は、その座面の高さ位置を、座ったヒトにとって最適な高さ位置に自動で調整するから、座るという極めて単純な動作を行うだけで自分に合った最適な座面高さの椅子を得ることができる。
【００２２】
図３に示す第２実施形態の椅子１では、非足裏重量測定器に代えて、椅子１の使用される室、あるいは、専用の座面高さ調整室などの床面６に、足裏重量測定手段としての測定器７が、床面６と面一となるように備えられ、足裏重量測定器７と椅子本体１ｃとが物理的に分離されて備えられている。また、制御部５には、体重と、椅子本体１ｃに座ったときの足裏から受ける重量との最適比、例えば１００対１６が予め記憶されている。そして、足裏重量測定器７と制御部５とは有線あるいは無線で信号の送受信を行うことができるようになされている。その他は、第１実施形態の椅子と概ね同様である。
【００２３】
この椅子１では、椅子本体１ｃを足裏重量測定器７に隣接して設置し、図示しないボタンなどをオンにし、図４（イ）に示すように、椅子本体１ｃの前に椅子本体１ｃを後ろにするようにして立ち、足裏重量測定器７の上に乗る。すると、足裏重量測定器７が椅子使用者の体重を測定し、その測定値の信号が制御部５に送られ、体重値が制御部５に記憶される。しかる後、図４（ロ）に示すように、そのまま椅子本体１ｃの座面１ａに腰を降ろし、更に昇降開始ボタンなどを押すと、座面１ａが上昇していき、そのとき、制御部５による制御によって、測定されて記憶された前記体重と、足裏重量測定器７で測定されていく足裏重量との比が、上記の設定比か否かが逐次判断され、設定比と異なるとき、上記のように座面１ａの上昇が継続し、設定比となったときに、座面１ａの上昇が停止し、図４（ハ）に示すように、座面１ａはその高さ位置に保持される。こうして、椅子本体１ｃが、座ったヒトにとって最適な座面高さを備えた椅子となる。なお、図４（ニ）に示すように、椅子本体１ｃの座面１ａが下降していく過程で、体重と足裏重量との比が設定比と比較判断されるようにしてもよい。
【００２４】
この椅子１では、椅子本体１ｃの前に椅子本体を後ろにするようにして立って体重を測定し、体重測定後はそのまま椅子本体１ｃの座面１ａに腰を降ろすだけでよいので、立った状態から椅子に腰を下ろす自然な動作を行うだけで椅子本体１ｃの座面１ａの高さを最適高さに調整することができる。
【００２５】
図５に示す第３実施形態の椅子１は、非足裏重量測定器４と足裏重量測定器７の両方を備えたものからなっている。この椅子１では、足裏重量測定器７と非足裏重量測定器４の両方で測定を行っていくことで、最適椅子高さの特定中、両測定器４，７の測定値が常に体重値になることを確認しながら、最適椅子高さの正確な特定を行っていくことができ、また、椅子に座るだけで両測定器４，７の測定値から体重を割り出すことができ、最適椅子高さ特定の手順を単純化することができる。
【００２６】
以上に、本発明の実施形態を示したが、本発明はこれに限られるものではなく、発明思想を逸脱しない範囲で各種の変更が可能である。例えば、本発明の椅子では、座面昇降手段と、足裏重量測定手段及び／又は非足裏重量測定手段とが備えられ、測定手段で、座った時の足裏重量及び／又は非足裏重量を測定することができるようになされているだけの椅子であってもよい。また、椅子の用途に制限はなく、事務用ないし執務用の椅子であってもよいし、家庭で用いられる椅子であってもよい。
【図面の簡単な説明】
【００２７】
【図１】図（イ）（ロ）は、第１実施形態の椅子を示す断面側面図である。
【図２】図（イ）〜（ニ）は、最適座面高さ位置への調整の過程を順次に示す断面側面図である。
【図３】図（イ）（ロ）は、第２実施形態の椅子を示す断面側面図である。
【図４】図（イ）〜（ニ）は、最適座面高さ位置への調整の過程を順次に示す断面側面図である。
【図５】図（イ）（ロ）は、第３実施形態の椅子を示す断面側面図である。
【符号の説明】
【００２８】
１…椅子
１ａ…座面
１ｃ…椅子本体
２…座面昇降手段
３…駆動部
４…非足裏重量測定器
５…制御部
７…足裏重量測定器
【図１】
2005102940.tif 000003
【図２】
2005102940.tif 000004
【図３】
2005102940.tif 000005
【図４】
2005102940.tif 000006
【図５】
2005102940.tif 000007